(57)【要約】  カメラ用アクセサリのアクセサリ側マウントは、少なくとも第１の規制部、および第１の規制部とは異なる第２の規制部を有する。第１の規制部は、正規の挿抜位相で挿入されたアクセサリ側マウントをボディ側マウントに装着するために第１〜第３の爪を円周方向に沿って第１の回転方向に回転させた場合には、いずれか１つのカメラボディ側爪の側端に当接することで、第１の回転方向への回転範囲を規制し、第２の規制部は、アクセサリ側マウントをボディ側マウントから取り外すために第１〜第３の爪を円周方向に沿って、第１の回転方向とは反対の第２の回転方向に回転させた場合には、いずれか１つのカメラボディ側爪の側端に当接することで、第２の回転方向への回転範囲を規制する。
2013038973.tif 000002
【特許請求の範囲】
【請求項１】
カメラボディ側マウントを備えるカメラボディに対して着脱可能なアクセサリであって、且つ、所定径の円周方向に沿って互いに離間して当該円周上から径方向に突出して配設された第１〜第３の爪を有するバヨネット構造のアクセサリ側マウントを備えるカメラ用アクセサリにおいて、
前記アクセサリ側マウントは、前記カメラボディ側マウントに対して正規の挿抜位相で挿入された際には、前記第１〜第３の爪のいずれもが、前記カメラボディ側マウントに設けられている３つのカメラボディ側爪に阻害されることなく、前記カメラボディ側マウントへの挿入が許可され、
前記アクセサリ側マウントは、少なくとも第１の規制部、および前記第１の規制部とは異なる第２の規制部を有し、
前記第１の規制部は、前記正規の挿抜位相で挿入された前記アクセサリ側マウントを前記ボディ側マウントに装着するために前記第１〜第３の爪を前記円周方向に沿って第１の回転方向に回転させた場合には、いずれか１つの前記カメラボディ側爪の側端に当接することで、前記第１の回転方向への回転範囲を規制し、
前記第２の規制部は、前記アクセサリ側マウントを前記ボディ側マウントから取り外すために前記第１〜第３の爪を前記円周方向に沿って、前記第１の回転方向とは反対の第２の回転方向に回転させた場合には、いずれか１つのカメラボディ側爪の側端に当接することで、前記第２の回転方向への回転範囲を規制する、
カメラ用アクセサリ。
【請求項２】
請求項１に記載のカメラ用アクセサリにおいて、
前記第１の規制部および前記第２の規制部は、前記第１〜第３の爪のいずれか１つの爪の前方にそれぞれ設けられているカメラ用アクセサリ。
【請求項３】
請求項１に記載のカメラ用アクセサリにおいて、
前記第１の規制部は、前記第１〜第３の爪のいずれか１つの爪の前方に設けられ、
前記第２の規制部は、前記第１〜第３の爪のうち前記第１の規制部が設けられていない２つの爪のいずれか１つの爪の前方に設けられているカメラ用アクセサリ。
【発明の詳細な説明】
【技術分野】
【０００１】
本発明は、カメラボディ側マウントを備えるカメラボディに対して着脱可能なカメラ用アクセサリに関する。
【背景技術】
【０００２】
バヨネット構造のマウントシステムを用いて、交換レンズなどのカメラ用アクセサリとカメラボディとを着脱可能に結合するように構成されたカメラ用アクセサリやカメラボディが知られている。このようなカメラ用アクセサリやカメラボディでは、正規の挿抜位相でカメラ用アクセサリのマウントをカメラボディのマウントに挿入させた後、入射光軸を中心にカメラ用アクセサリを所定方向（装着方向）に回転させると、カメラ用アクセサリとカメラボディとが結合される。また、カメラボディに結合されたカメラ用アクセサリを装着方向とは反対の方向（取り外し方向）に回転させた後、カメラ用アクセサリをカメラボディの前方へ引き抜くことで、カメラボディからカメラ用アクセサリを取り外すことができる。【０００３】
このように構成されたカメラ用アクセサリやカメラボディでは、カメラ用アクセサリの着脱に際し、カメラ用アクセサリに設けられた突起状の部位がカメラボディのマウントの爪の側端に当接することで、カメラ用アクセサリの装着方向または取り外し方向への回転範囲が規制される（特許文献１参照）。
【先行技術文献】
【特許文献】
【０００４】
【特許文献１】日本国特開平５−１２７２４２号公報
【発明の概要】
【発明が解決しようとする課題】
【０００５】
しかし、上述した特許文献に記載のものでは、回転範囲を規制する部位（規制部）が１箇所であるため、カメラ用アクセサリの装着時および取り外し時の双方でカメラボディのマウントの爪と衝突して衝撃を受けることになる。そのため、規制部の耐久性に悪影響を与えるおそれがある。
【課題を解決するための手段】
【０００６】
本発明の第１の態様は、カメラボディ側マウントを備えるカメラボディに対して着脱可能なアクセサリであって、且つ、所定径の円周方向に沿って互いに離間して当該円周上から径方向に突出して配設された第１〜第３の爪を有するバヨネット構造のアクセサリ側マウントを備えるカメラ用アクセサリにおいて、アクセサリ側マウントは、カメラボディ側マウントに対して正規の挿抜位相で挿入された際には、第１〜第３の爪のいずれもが、カメラボディ側マウントに設けられている３つのカメラボディ側爪に阻害されることなく、カメラボディ側マウントへの挿入が許可され、アクセサリ側マウントは、少なくとも第１の規制部、および第１の規制部とは異なる第２の規制部を有し、第１の規制部は、正規の挿抜位相で挿入されたアクセサリ側マウントをボディ側マウントに装着するために第１〜第３の爪を円周方向に沿って第１の回転方向に回転させた場合には、いずれか１つのカメラボディ側爪の側端に当接することで、第１の回転方向への回転範囲を規制し、第２の規制部は、アクセサリ側マウントをボディ側マウントから取り外すために第１〜第３の爪を円周方向に沿って、第１の回転方向とは反対の第２の回転方向に回転させた場合には、いずれか１つのカメラボディ側爪の側端に当接することで、第２の回転方向への回転範囲を規制する。
本発明の第２の態様は、第１の態様によるカメラ用アクセサリにおいて、第１の規制部および第２の規制部は、第１〜第３の爪のいずれか１つの爪の前方にそれぞれ設けられていることが好ましい。
本発明の第３の態様は、第１の態様によるカメラ用アクセサリにおいて、第１の規制部は、第１〜第３の爪のいずれか１つの爪の前方に設けられ、第２の規制部は、第１〜第３の爪のうち第１の規制部が設けられていない２つの爪のいずれか１つの爪の前方に設けられてもよい。
【発明の効果】
【０００７】
本発明によれば、規制部の耐久性を向上できる。
【図面の簡単な説明】
【０００８】
【図１】図１は、本発明の一実施の形態が適用されるレンズ交換式のカメラボディと、カメラボディに着脱可能に装着される撮影レンズを模式的に示した斜視図である。
【図２】図２（ａ）（ｂ）は、カメラボディの斜め右前から見たボディ側マウントの構造を模式的に示した斜視図である。
【図３】図３は、撮影レンズの斜め左後から見たアクセサリ側マウントの構造を模式的に示した斜視図である。
【図４】図４は、規制部材の配設位置を説明する図である。
【図５】図５は、ボディ側マウントをカメラボディの正面から見たときの、ボディ側マウントのボディ側爪およびボディ側溝の位置について示す図である。
【図６】図６は、アクセサリ側マウントを撮影レンズの後方から見たときの、アクセサリ側マウントのアクセサリ側爪およびアクセサリ側溝の位置について示す図である。
【図７】図７は、ボディ側爪とアクセサリ側爪との干渉の有無（重なり状態）を示す図である。
【図８】図８は、ボディ側爪とアクセサリ側爪との干渉の有無（重なり状態）を示す図である。
【図９】図９は、半径方向外側から見たボディ側第１爪を円周に沿って展開した状態を模式的に示した図である。
【図１０】図１０（ａ）〜（ｆ）は、撮影レンズの装着、取り外し時の、アクセサリ側第２爪とボディ側第２爪との係合状態の変化を示す図である。
【図１１】図１１は、ボディ側爪とアクセサリ側爪との干渉の有無（重なり状態）を示す図である。
【図１２】図１２は、ボディ側爪とアクセサリ側爪との干渉の有無（重なり状態）を示す図である。
【図１３】図１３は、ボディ側爪とアクセサリ側爪との干渉の有無（重なり状態）を示す図である。
【図１４】図１４は、ボディ側爪とアクセサリ側爪との干渉の有無（重なり状態）を示す図である。
【図１５】図１５は、ボディ側爪とアクセサリ側爪との干渉の有無（重なり状態）を示す図である。
【図１６】図１６は、撮影レンズに重力と同方向に過大な外力が加えられたときのボディ側マウントとアクセサリ側マウントとの関係を説明する図である。
【図１７】図１７は、カメラボディの姿勢が横位置であるときの接触点ＰＤ，ＰＵおよび距離ＬＳについて説明する図である。
【図１８】図１８は、カメラボディの姿勢が縦位置であるときの接触点ＰＤ，ＰＵおよび距離ＬＳについて説明する図である。
【図１９】図１９は、カメラボディの姿勢が縦位置であるときの接触点ＰＤ，ＰＵおよび距離ＬＳについて説明する図である。
【図２０】図２０（ａ）（ｂ）は、本発明の一実施の形態の変形例を示す図である。
【図２１】図２１は、本発明の一実施の形態の変形例を示す図である。
【図２２】図２２（ａ）〜（ｄ）は、本発明の一実施の形態の変形例を示す図である。
【図２３】図２３は、本発明の一実施の形態の変形例を示す図である。
【図２４】図２４は、本発明の一実施の形態の変形例を示す図である。
【発明を実施するための形態】
【０００９】
図１〜１９を参照して、本発明によるカメラ用アクセサリの一実施の形態を説明する。本実施の形態では、カメラ用アクセサリとして、カメラボディに装着される交換レンズ（撮影レンズ）を例として説明する。図１は、本発明の一実施の形態が適用される撮影レンズ２と、この撮影レンズ２が着脱可能に装着されるレンズ交換式タイプのカメラボディ１とを模式的に示した斜視図である。カメラボディ１にはレリーズボタン４と、撮像素子５と、カメラボディ１の各部を制御する制御回路６とが設けられている。符号３は、撮影レンズ２からの被写体像を撮像素子５に導くための撮影光路である。符号９は、装着が完了した撮影レンズ２がカメラボディ１に対して回転しないように固定しておくためのレンズ着脱ロックピンである。
【００１０】
カメラボディ１の正面には、撮影レンズ２をはじめとして、たとえば焦点距離を変更するコンバータレンズなどのカメラ用アクセサリを装着するための、バヨネット構造のボディ側マウント１００が設けられている。撮影レンズ２の後部には、ボディ側マウント１００に撮影レンズ２を着脱可能に装着するためのアクセサリ側マウント２００が設けられている。なお、図１では、ボディ側マウント１００およびアクセサリ側マウント２００の詳細な形状の記載を省略している。また、本実施の形態では、撮影レンズ２が取り付けられるカメラボディ１の正面側（被写体側）を前方とし、撮像素子５が設けられるカメラボディ１の背面側を後方とする。また、カメラボディ１の上下左右方向を図１に記載したように規定する。図１では、カメラボディ１の上下方向が鉛直方向と一致している。図１に示すようにカメラボディ１を正立させたときのカメラボディ１の姿勢を正姿勢、または、横位置と呼ぶ。また、横位置にあるカメラボディ１を正面から見て時計方向または反時計方向に９０度回転させた時のカメラボディ１の姿勢を縦位置と呼ぶ。
【００１１】
−−−ボディ側マウント１００−−−
図２（ａ）はカメラボディ１の斜め右前から見たボディ側マウント１００の構造を模式的に示した斜視図であり、図２（ｂ）はレンズ着脱ロックピン９の近傍のボディ側マウント１００の断面図である。ボディ側マウント１００は、カメラボディ１の円形の開口（撮影光路）の周縁に沿って離間して配設された３つの爪（ボディ側爪）が開口の円周の外側から内側に向かって突設されているバヨネット構造を呈する。３つのボディ側爪のうち、最も上側にあるボディ側爪をボディ側第１爪１１０と呼び、ボディ側第１爪１１０から図示反時計方向に向かって、順に、ボディ側第２爪１２０、ボディ側第３爪１３０と呼ぶ。
【００１２】
隣接する２つのボディ側爪の間の空間であって、後述するように、撮影レンズ２の着脱時にアクセサリ側マウント２００の爪（アクセサリ側爪）が通過する空間をボディ側溝と呼ぶ。ボディ側第３爪１３０とボディ側第１爪１１０との間のボディ側溝をボディ側第１溝１５１と呼び、ボディ側第１溝１５１から図示反時計方向に向かって、順に、ボディ側第２溝１５２、ボディ側第３溝１５３と呼ぶ。
【００１３】
ボディ側第１爪１１０の前面を前面１１３と呼び、ボディ側第２溝１５２に面した図示反時計方向側の側端を第１側端１１１と呼び、ボディ側第１溝１５１に面した図示時計方向側の側端を第２側端１１２と呼ぶ。同様に、ボディ側第２爪１２０の前面を前面１２３と呼び、ボディ側第３溝１５３に面した側端を第１側端１２１と呼び、ボディ側第２溝１５２に面した側端を第２側端１２２と呼ぶ。ボディ側第３爪１３０の前面を前面１３３と呼び、ボディ側第１溝１５１に面した側端を第１側端１３１と呼び、ボディ側第３溝１５３に面した側端を第２側端１３２と呼ぶ。なお、第１側端１１１，１２１，１３１は、後述する装着方向に面しており、第２側端１１２，１２２，１３２は、後述する装着方向とは反対の方向（取り外し方向）に面している。
【００１４】
なお、図２（ａ）では図示されていないが、ボディ側第１爪１１０の後面を後面と呼び、符号として１１４を付す。同様に、ボディ側第２爪１２０の後面およびボディ側第３爪１３０の後面をそれぞれ後面と呼び、符号として１２４および１３４を付す。
【００１５】
符号１０１は、ボディ側マウント基準面である。ボディ側マウント基準面１０１は、前方に向かって形成されたドーナツ状の平面であり、装着が完了した撮影レンズ２の後述するアクセサリ側マウント２００のアクセサリ側マウント基準面２０１と当接して、撮影レンズ２の前後方向の位置を規定する基準となる面である。１０２は、ボディ側マウント１００の円筒形状の内周面であり、後述するアクセサリ側マウント２００の嵌合部２０２と嵌合して、撮影レンズ２の光軸をカメラボディ１の光軸（撮影光路３の中心軸）と一致させるための基準となる面である。１６１は、レンズ着脱ロックピン９が出没するためのピン孔である。なお、図１、図２（ｂ）に示すように、レンズ着脱ロックピン９は、不図示のバネの付勢力によって前端がボディ側マウント基準面１０１よりも前方に突出している。ユーザが不図示のレンズ着脱ボタンを押圧すると、レンズ着脱ロックピン９は、不図示のバネの付勢力に抗して前端がボディ側マウント基準面１０１よりも後方に退避する。
【００１６】
−−−アクセサリ側マウント２００−−−
図３は、撮影レンズ２の斜め左後から見たアクセサリ側マウント２００の構造を模式的に示した斜視図である。なお、図３に示したアクセサリ側マウント２００は、撮影レンズ２のカメラボディ１に対する装着が完了した状態（装着完了状態）、すなわち、撮影が可能な状態を示している。したがって、図３に示したアクセサリ側マウント２００の上下左右方向の向きは、カメラボディ１の上下左右方向と一致する。以下の説明では、特にことわりがない場合には、アクセサリ側マウント２００の上下左右方向の向きは、装着完了状態における向きである。
【００１７】
アクセサリ側マウント２００は、円周方向に沿って離間して配設された３つの爪（アクセサリ側爪）が円周の内側から外側に向かって突設されているバヨネット構造を呈する。３つのアクセサリ側爪のうち、最も上側にあるアクセサリ側爪をアクセサリ側第１爪２１０と呼び、アクセサリ側第１爪２１０から図示時計方向に向かって、順に、アクセサリ側第２爪２２０、アクセサリ側第３爪２３０と呼ぶ。
【００１８】
隣接する２つのアクセサリ側爪の間の空間であって、後述するように、撮影レンズ２の挿抜時にボディ側爪が通過する空間をアクセサリ側溝と呼ぶ。アクセサリ側第１爪２１０とアクセサリ側第２爪２２０との間のアクセサリ側溝をアクセサリ側第１溝２５１と呼び、アクセサリ側第１溝２５１から図示時計方向に向かって、順に、アクセサリ側第２溝２５２、アクセサリ側第３溝２５３と呼ぶ。
【００１９】
アクセサリ側第１爪２１０の後面を後面２１３と呼び、アクセサリ側第１溝２５１に面した側端を第１側端２１１と呼び、アクセサリ側第３溝２５３に面した側端を第２側端２１２と呼ぶ。同様に、アクセサリ側第２爪２２０の後面を後面２２３と呼び、アクセサリ側第２溝２５２に面した側端を第１側端２２１と呼び、アクセサリ側第１溝２５１に面した側端を第２側端２２２と呼ぶ。アクセサリ側第３爪２３０の後面を後面２３３と呼び、アクセサリ側第３溝２５３に面した側端を第１側端２３１と呼び、アクセサリ側第２溝２５２に面した側端を第２側端２３２と呼ぶ。なお、第１側端２１１，２２１，２３１は、後述する装着方向に面しており、第２側端２１２，２２２，２３２は、後述する装着方向とは反対の方向（取り外し方向）に面している。
【００２０】
なお、図３では図示されていないが、アクセサリ側第１爪２１０の前面を前面と呼び、符号として２１４を付す。同様に、アクセサリ側第２爪２２０の前面およびアクセサリ側第３爪２３０の前面をそれぞれ前面と呼び、符号として２２４および２３４を付す。
【００２１】
２０１は、アクセサリ側マウント基準面である。アクセサリ側マウント基準面２０１は、後方に向かって形成されたドーナツ状の平面であり、装着が完了した状態ではボディ側マウント基準面１０１と当接する。符号２０２は、嵌合部であり、ボディ側マウント１００の内周面１０２に嵌合して撮影レンズ２の光軸をカメラボディ１の光軸（撮影光路３の中心軸）と一致させるための基準となる円筒形状の部位である。符号２６１は、ピン孔であり、装着が完了した撮影レンズ２がカメラボディ１（ボディ側マウント１００）に対して回転しないように固定しておくために、ボディ側マウント１００のピン孔１６１から出没するレンズ着脱ロックピン９が挿入される。
【００２２】
図３および図４に示すように、第２側端２２２近傍のアクセサリ側第２爪２２０の前方（ここで「前方」とは前述の如く「被写体側」、換言すれば被写体光の入射側を示す）には、撮影レンズ２を着脱する際に、カメラボディ１（ボディ側マウント１００）に対する撮影レンズ２（アクセサリ側マウント２００）の回転範囲を規制する規制部としての規制部材２６２，２６３が設けられている。規制部材２６２，２６３による回転範囲の規制については後に詳述する。規制部材２６２，２６３は、たとえば、アクセサリ側マウント２００の半径方向外側からそれぞれねじ込まれた頭付きのピンである。なお、図４は、第２側端２２２近傍のアクセサリ側第２爪２２０を後方（「後方」とは前述の如く、撮像素子５が設けられるカメラボディ１の背面側であり、換言すれば被写体光の射出側を示す）から見た図であり、規制部材２６２，２６３を図示するためにアクセサリ側第２爪２２０を部分的に切り欠いて示した図である。
【００２３】
−−−ボディ側爪およびボディ側溝の位置について−−−
図５は、ボディ側マウント１００をカメラボディ１の正面から見たときの、ボディ側マウント１００のボディ側爪およびボディ側溝の位置について示す図である。ボディ側爪の配設位置を、ボディ側マウント１００をカメラボディ１の正面から見たときの３時の方向を基準とした反時計方向の角度で表すと次のようになる。ボディ側第１爪１１０は、７６度から１３０度の範囲に存在する。ボディ側第２爪１２０は、１７７．５度から２２６度の範囲に存在する。ボディ側第３爪１３０は、３０４．５度から１５度（３７５度）の範囲に存在する。
【００２４】
各ボディ側爪１１０〜１３０の大きさをボディ側マウント１００の円形の開口の周縁に沿った角度範囲で表すと、ボディ側第１爪１１０は５４度であり、ボディ側第２爪１２０は４８．５度であり、ボディ側第３爪１３０は７０．５度である。同様に、各ボディ側溝１５１〜１５３の大きさをカメラボディ１の円形の開口の周縁に沿った角度範囲で表すと、ボディ側第１溝１５１は６１度であり、ボディ側第２溝１５２は４７．５度であり、ボディ側第３溝１５３は７８．５度である。つまり、カメラボディ側マウント１００において、最も小さい溝は、ボディ側第２溝１５２（角度範囲４７．５度）である。
【００２５】
図５において、符号７は、カメラボディ１に設けられる指標の位置を示すマークである。この指標は、撮影レンズ２をカメラボディ１に装着する際の目印となるものである。マーク７の位置を、ボディ側マウント１００をカメラボディ１の正面から見たときの３時の方向を基準とした反時計方向の角度で表すと９０度となる。
【００２６】
−−−アクセサリ側爪およびアクセサリ側溝の位置について−−−
図６は、アクセサリ側マウント２００を撮影レンズ２の後方から見たときの、アクセサリ側マウント２００のアクセサリ側爪およびアクセサリ側溝の位置について示す図である。撮影レンズ２の上述した装着完了状態におけるアクセサリ側マウント２００を撮影レンズ２の後方から見たときの９時の方向を基準とした時計方向の角度でアクセサリ側爪の配設位置を表すと次のようになる。アクセサリ側第１爪２１０は、５６．５度から１１５度の範囲に存在する。アクセサリ側第２爪２２０は、１７２．５度から２１４．５度の範囲に存在する。アクセサリ側第３爪２３０は、２７２度から３４３．５度の範囲に存在する。
【００２７】
各アクセサリ側爪２１０〜２３０のアクセサリ側マウント２００の円周方向に延在する長さを、アクセサリ側マウント２００の円周方向に沿った角度範囲で表すと、アクセサリ側第１爪２１０は５８．５度であり、アクセサリ側第２爪２２０は４２度であり、アクセサリ側第３爪２３０は７１．５度である。換言すれば、これらアクセサリ側第１〜第３の爪において、各爪の、円周方向に延在する長さを円弧としてみたときの、各爪の角度（存在範囲を示す角度）は、アクセサリ側第１爪２１０が５８．５度であり、アクセサリ側第２爪２２０が４２度であり、アクセサリ側第３爪２３０が７１．５度である。つまり、アクセサリ側の爪において、最も小さい爪は、アクセサリ側第２爪２２０（角度範囲４２度）である。
【００２８】
同様に、各アクセサリ側溝２５１〜２５３の大きさをアクセサリ側マウント２００の円周方向に沿った角度範囲で表すと、アクセサリ側第１溝２５１は５７．５度であり、アクセサリ側第２溝２５２は５７．５度であり、アクセサリ側第３溝２５３は７３度である。
【００２９】
図６において、符号８は、撮影レンズ２に設けられる指標の位置を示すマークである。この指標は、撮影レンズ２をカメラボディ１に装着する際の目印となるものである。マーク８の位置を、撮影レンズ２の上述した装着完了状態におけるアクセサリ側マウント２００を撮影レンズ２の後方から見たときの９時の方向を基準とした時計方向の角度で表すと、１３０．５度となる。この角度は、９０度に後述する装着角度４０．５度を足した角度に相当する。
【００３０】
−−−撮影レンズ２のカメラボディ１への装着−−−
このように構成された撮影レンズ２のカメラボディ１への装着は、次のようにして行う。なお、カメラボディ１の撮影光路３の中心を前後方向に延在する軸と、撮影レンズ２の光軸とを一致させた状態における、カメラボディ１に対する撮影レンズ２の回転位置を、以下、単に挿抜位相と呼ぶ。カメラボディ１の撮影光路３の中心を前後方向に延在する軸と、撮影レンズ２の光軸とを一致させ、撮影レンズ２に設けられた指標８の回転位置とカメラボディ１に設けられた指標７の回転位置とを合わせると、図７に示すようにボディ側爪１１０〜１３０がアクセサリ側爪２１０〜２３０と干渉することなく、アクセサリ側マウント基準面２０１とボディ側マウント基準面１０１とが当接するまでアクセサリ側マウント２００をボディ側マウント１００に挿入できる。このときの挿抜位相を正規の挿抜位相と呼ぶ。なお、図７は、ボディ側爪１１０〜１３０とアクセサリ側爪２１０〜２３０との干渉の有無（重なり状態）を示す図であり、アクセサリ側爪を扇形状の図形にて模式的に図示している。
【００３１】
正規の挿抜位相でアクセサリ側マウント２００をボディ側マウント１００に挿入すると、アクセサリ側第１爪２１０はボディ側第１溝１５１の前から後へ通過し、アクセサリ側第２爪２２０はボディ側第２溝１５２の前から後へ通過し、アクセサリ側第３爪２３０はボディ側第３溝１５３の前から後へ通過する。同様に、正規の挿抜位相でアクセサリ側マウント２００をボディ側マウント１００に挿入すると、ボディ側第１爪１１０はアクセサリ側第１溝２５１（図７において符号を付さず）の後から前へ通過し、ボディ側第２爪１２０はアクセサリ側第２溝２５２（図７において符号を付さず）の後から前へ通過し、ボディ側第３爪１３０はアクセサリ側第３溝２５３（図７において符号を付さず）の後から前へ通過する。
【００３２】
正規の挿抜位相でアクセサリ側マウント２００をボディ側マウント１００に挿入した後、カメラボディ１の正面から見て撮影レンズ２を反時計方向に回転させると、アクセサリ側第１爪２１０がボディ側第１爪１１０の後側に入り込み、アクセサリ側第２爪２２０がボディ側第２爪１２０の後側に入り込み、アクセサリ側第３爪２３０がボディ側第３爪１３０の後側に入り込む。このように、カメラボディ１の正面から見て撮影レンズ２を反時計方向に回転させると、図８に示すように、正規の挿抜位相から４０．５度回転させたところで、ボディ側マウント１００のピン孔１６１から突出するレンズ着脱ロックピン９がアクセサリ側マウント２００のピン孔２６１に挿入されて、反時計方向への回転が規制される。なお、不図示のレンズ着脱ボタンを押圧してレンズ着脱ロックピン９をボディ側マウント基準面１０１の後方に退避させながら撮影レンズ２を反時計方向に回転させた場合には、規制部材２６２がボディ側第２爪１２０の第２側端１２２と当接して、反時計方向への回転が規制される。なお、規制部材２６２を装着側規制部材２６２とも呼ぶ。
【００３３】
このように、正規の挿抜位相から撮影レンズ２を反時計方向に４０．５度回転させたところで、アクセサリ側マウント２００がボディ側マウント１００に結合され（アクセサリ側爪とボディ側爪との結合が完了し）、撮影レンズ２の装着が完了する。正規の挿抜位相から撮影レンズ２の装着が完了する位相までの撮影レンズ２の回転角度（４０．５度）を装着角度と呼ぶ。また、上述した反時計方向への回転方向を装着方向とも呼ぶ。
【００３４】
なお、装着角度は、少ないほど装着が容易となり、カメラボディ１側および撮影レンズ２側の不図示の電気接点同士の擦れ量を低減でき、撮影レンズ２の交換によって生じる電気接点の摩耗を減少させることができる。しかし、装着角度があまりに少ないと爪同士の係合が不用意に外れるおそれがあり、撮影レンズ２が脱落しやすくなるおそれがある。一方、後述するバネ１１６，１２６，１３６、当接部１１５，１２５，１３５、およびテーパ面１１７，１２７，１３７を設けるためにはボディ側マウント１００の円周方向の長さがある程度必要となる。また、テーパ面１１７，１２７，１３７を越えてバネ１１６，１２６，１３６および当接部１１５，１２５，１３５に対してアクセサリ側爪２１０〜２３０が充分に掛かるようにするためには、ある程度の装着角度を要する。本実施の形態では、これらを踏まえて４０．５度という装着角度とされている。
【００３５】
撮影レンズ２の装着が完了すると、アクセサリ側マウント２００のピン孔２６１の位置がボディ側マウント１００のピン孔１６１の位置と重なる。そして、ボディ側マウント１００のピン孔１６１から出没するレンズ着脱ロックピン９がピン孔２６１に挿入される。
【００３６】
−−−装着されている撮影レンズ２をカメラボディ１から外す場合−−−
装着されている撮影レンズ２をカメラボディ１から外す場合には、次のようにする。まず、カメラボディ１に設けられた不図示のレンズ着脱ボタンを押圧して、レンズ着脱ロックピン９をピン孔２６１から抜く。この状態のまま、カメラボディ１の正面から見て撮影レンズ２を正規の挿抜位相まで時計方向に回転させると、アクセサリ側爪とボディ側爪との結合が解除される。撮影レンズ２を正規の挿抜位相まで回転させると、規制部材２６３がボディ側第１爪１１０の第１側端１１１と当接して、時計方向への回転が規制される。すなわち、図７に示した状態に戻る。正規の挿抜位置では、上述したように、ボディ側爪１１０〜１３０とアクセサリ側爪２１０〜２３０とが干渉しないので、撮影レンズ２をカメラボディ１の前方に外すことができる。なお、上述した時計方向への回転方向を取り外し方向とも呼ぶ。また、規制部材２６３を取り外し側規制部材２６３とも呼ぶ。
【００３７】
上述したように、装着側規制部材２６２は、不図示のレンズ着脱ボタンを押圧したまま撮影レンズ２をカメラボディ１へ装着しようとするとボディ側第２爪１２０の第２側端１２２と当接して、撮影レンズ２の装着方向への回転を規制する。また、取り外し側規制部材２６３は、装着されている撮影レンズ２をカメラボディ１から外す場合、ボディ側第１爪１１０の第１側端１１１と当接して、取り外し方向への回転を規制する。
【００３８】
ここで、不図示のレンズ着脱ボタンを押圧したまま撮影レンズ２をカメラボディ１へ装着する際に、ボディ側第２爪１２０の第２側端１２２と当接する装着側規制部材２６２の端面を装着側端面と呼ぶ。また、装着されている撮影レンズ２をカメラボディ１から外す際に、ボディ側第１爪１１０の第１側端１１１と当接する取り外し側規制部材２６３の端面を取り外し側端面と呼ぶ。すなわち、装着側規制部材２６２の装着側端面は、図７に示す正規の挿抜位相でボディ側マウント１００に挿入されたアクセサリ側マウント２００において、ボディ側第２爪１２０の第２側端１２２から装着角度分および所定のクリアランス分の角度だけ図７における図示時計方向に離間している。また、取り外し側規制部材２６３の取り外し側端面は、図７に示す正規の挿抜位相でボディ側マウント１００に挿入されたアクセサリ側マウント２００において、ボディ側第１爪１１０の第１側端１１１から所定のクリアランス分の角度だけ図７における図示反時計方向に離間している。なお、図７では図示の都合上、取り外し側規制部材２６３の取り外し側端面がボディ側第１爪１１０の第１側面１１１に接しているようにみえる。
【００３９】
−−−アクセサリ側爪とボディ側爪との結合状態について−−−
図９は、半径方向外側から見たボディ側第１爪１１０を円周に沿って展開した状態を模式的に示した図である。ボディ側第１爪１１０の第２側端１１２近傍には、撮影レンズ２の装着時に、アクセサリ側第１爪２１０がボディ側第１爪１１０後側にスムーズに回り込むことができるようにするために、後面１１４側がテーパ状に形成されたテーパ面１１７が設けられている。ボディ側第１爪１１０の第２側端１１２近傍には、テーパ面１１７に続いて、ボディ側マウント１００の前後方向に対して垂直な面である当接部１１５が設けられている。後面１１４には、当接部１１５に隣接してバネ１１６が設けられている。
【００４０】
バネ１１６は、ボディ側第１爪１１０の後側に入り込んだアクセサリ側第１爪２１０の前面２１４（図９において不図示）に当接してこれを後方に押圧することで、アクセサリ側マウント基準面２０１とボディ側マウント基準面１０１とを当接させておくための弾性部材である。当接部１１５は、たとえば、装着が完了した撮影レンズ２に対して外力が加わり、バネ１１６の付勢力に抗して撮影レンズ２がカメラボディ１に対して傾こうとした際に、アクセサリ側第１爪２１０の前面２１４と当接して、アクセサリ側第１爪２１０の前方への移動を規制する部位である。なお、バネ１１６の付勢力によってアクセサリ側マウント基準面２０１とボディ側マウント基準面１０１とが当接（密着）している場合には、当接部１１５は、アクセサリ側第１爪２１０の前面２１４と僅かに離間している。
【００４１】
ボディ側第２爪１２０およびボディ側第３爪１３０も同様の構造である。すなわち、ボディ側第２爪１２０の第２側端１２２近傍には、後面１２４側がテーパ状に形成されたテーパ面１２７が設けられている。ボディ側第２爪１２０の第２側端１２２近傍には、テーパ面１２７に続いて、ボディ側マウント１００の前後方向に対して垂直な面である当接部１２５が設けられている。後面１２４には、当接部１２５に隣接してバネ１２６が設けられている。ボディ側第３爪１３０の第２側端１３２近傍には、後面１３４側がテーパ状に形成されたテーパ面１３７が設けられている。ボディ側第３爪１３０の第２側端１３２近傍には、テーパ面１３７に続いて、ボディ側マウント１００の前後方向に対して垂直な面である当接部１３５が設けられている。後面１３４には、当接部１３５に隣接してバネ１３６が設けられている。
【００４２】
なお、図８において、符号１１６ａで示すマークは、バネ１１６がアクセサリ側第１爪２１０の前面２１４を押圧する位置が円周方向に沿ったどの位相にあるのかを示すものである。同様に、符号１２６ａで示すマークは、バネ１２６がアクセサリ側第２爪２２０の前面２２４を押圧する位置が円周方向に沿ったどの位相にあるのかを示すものであり、符号１３６ａで示すマークは、バネ１３６がアクセサリ側第３爪２３０の前面２３４を押圧する位置が円周方向に沿ったどの位相にあるのかを示すものである。
【００４３】
当接部１１５は、たとえば図７，８に示すように、ボディ側マウント１００の略真上に設けられている。当接部１２５は、ボディ側第１爪１１０の第２側端１１２と当接部１１５との離間距離と同じ距離だけボディ側第２爪１２０の第２側端１２２と離間した位置に設けられている。当接部１３５は、ボディ側第１爪１１０の第２側端１１２と当接部１１５との離間距離と同じ距離だけボディ側第３爪１３０の第２側端１３２と離間した位置に設けられている。
【００４４】
図１０（ａ）〜（ｆ）は、撮影レンズ２をカメラボディ１に装着および取り外す際の、アクセサリ側第２爪２２０とボディ側第２爪１２０との係合状態の変化を時系列的に示す図であり、半径方向外側から見たボディ側第２爪１２０を円周に沿って展開した状態を模式的に示した図である。図１０（ａ）は、正規の挿抜位相で挿入されたアクセサリ側マウント２００のアクセサリ側第２爪２２０が、ボディ側第２溝１５２を通過する様子を示す図である。図１０（ｂ）は、アクセサリ側第２爪２２０が、ボディ側第２溝１５２を通過し、アクセサリ側マウント基準面２０１とボディ側マウント基準面１０１とが当接した状態におけるアクセサリ側第２爪２２０とボディ側第２爪１２０との様子を示す図である。
【００４５】
その後、撮影レンズ２が装着方向に回転されると、図１０（ｃ）に示すように、アクセサリ側第２爪２２０がボディ側第２爪１２０の後側に入り込む。さらに、図１０（ｄ）に示すように、アクセサリ側第２爪２２０がバネ１２６の後方に移動し、バネ１２６によってアクセサリ側第２爪２２０が後方に付勢される。撮影レンズ２が正規の挿抜位置から装着角度分だけ装着方向に回転されると、図１０（ｅ）に示すように、装着側規制部材２６２が、ボディ側第２爪１２０の第２側端１２２に当接するので、撮影レンズ２の装着方向への回転が規制される。
【００４６】
撮影レンズ２をカメラボディ１から取り外すために、図１０（ｅ）に示す状態から撮影レンズ２が取り外し方向に回転されると、装着角度分だけ回転された時点で、図１０（ｆ）に示すように、取り外し側規制部材２６３が、ボディ側第１爪１１０の第１側端１１１に当接するので、撮影レンズ２の取り外し方向への回転が規制される。
【００４７】
このように、撮影レンズ２の装着時と取り外し時とで、異なる規制部材がボディ側の爪と当接するように構成した。すなわち、撮影レンズ２の装着時に回転を規制する機能と、撮影レンズ２の取り外し時に回転を規制する機能とを異なる部材で受け持つように構成している。これにより、規制部材２６２，２６３の耐久性が向上する。また、規制部材２６２，２６３では、ボディ側の爪と当接する際に各規制部材２６２，２６３に作用する荷重がいわゆる片振りの荷重となる。これに対して、たとえば、規制部材２６２，２６３の双方の機能を有する１つの規制部材では、撮影レンズ２の装着時および取り外し時の双方でボディ側の爪と当接するので、当該１つの規制部材に作用する荷重がいわゆる両振りの荷重となる。そのため、上述したように、規制部材２６２，２６３がアクセサリ側マウント２００の半径方向外側からそれぞれねじ込まれた頭付きのピンである場合、規制部材２６２，２６３の双方の機能を有する１つの規制部材と比べて緩みにくくなり、規制部材２６２，２６３が緩むことによる不具合を抑制できる。
【００４８】
−−−正規の挿抜位相以外の位相で撮影レンズ２を挿入しようとした場合−−−
本実施の形態のボディ側マウント１００およびアクセサリ側マウント２００では、正規の挿抜位相以外の位相で撮影レンズ２を挿入しようとした場合、ボディ側爪１１０〜１３０の少なくとも２つの爪と、アクセサリ側爪２１０〜２３０の少なくとも２つの爪とが合計２箇所以上で当接することで、アクセサリ側マウント２００のボディ側マウント１００への挿入が禁止（阻止）される。
【００４９】
図７から明らかに想像できるように、正規の挿抜位相から、撮影レンズ２が図示反時計方向に僅かに回転させた状態で撮影レンズ２を装着しようとしても、アクセサリ側第１爪２１０の後面２１３がボディ側第１爪１１０の前面１１３と当接し、アクセサリ側第２爪２２０の後面２２３がボディ側第２爪１２０の前面１２３と当接し、アクセサリ側第３爪２３０の後面２３３がボディ側第３爪１３０の前面１３３と当接する。この場合、ボディ側爪１１０〜１３０の３つの爪と、アクセサリ側爪２１０〜２３０の３つの爪とが当接することで、アクセサリ側マウント２００のボディ側マウント１００への挿入が禁止される。たとえば、図８において、アクセサリ側爪２１０〜２３０がボディ側爪１１０〜１３０の前方に位置していると仮定した場合が、その一例である。
【００５０】
上述した状態から、さらに撮影レンズ２が図示反時計方向に回転させた状態で撮影レンズ２を装着しようとした場合、図１１に示すように、アクセサリ側第２爪２２０がボディ側第３溝１５３の前方へ移動するため、アクセサリ側第２爪２２０がボディ側爪１１０〜１３０とは当接しなくなる。しかし、アクセサリ側第１爪２１０の後面２１３がボディ側第１爪１１０の前面１１３と当接し、アクセサリ側第３爪２３０の後面２３３がボディ側第３爪１３０の前面１３３と当接する。この場合、ボディ側爪１１０〜１３０の２つの爪と、アクセサリ側爪２１０〜２３０の２つの爪とが当接することで、アクセサリ側マウント２００のボディ側マウント１００への挿入が禁止されることになる。図１１においてハッチングを施した、ボディ側爪１１０〜１３０とアクセサリ側爪との当接箇所は、合計で２箇所である。
【００５１】
図１１に示す状態では、あと僅かに撮影レンズ２が図示反時計方向に回転すると、アクセサリ側第１爪２１０の後面２１３がボディ側第２爪１２０の前面１２３と当接することになる。すなわち、あと僅かに撮影レンズ２が図示反時計方向に回転すると、ボディ側爪１１０〜１３０とアクセサリ側爪２１０〜２３０との当接箇所が３箇所となる。また、反対に、図１１に示す状態から撮影レンズ２を図示時計方向に回転させると、アクセサリ側第１爪２１０の後面２１３とボディ側第１爪１１０の前面１１３とが当接する部分の面積、および、アクセサリ側第３爪２３０の後面２３３とボディ側第３爪１３０の前面１３３とが当接する部分の面積が増加することとなる。
【００５２】
したがって、図１１に示す状態は、アクセサリ側第１爪２１０の後面２１３がボディ側第１爪１１０の前面１１３と当接し、アクセサリ側第３爪２３０の後面２３３がボディ側第３爪１３０の前面１３３と当接して、当接箇所が当該２箇所のみとなる場合において、当接する部分の面積が最も少なくなる場合を示している。図１１に示した挿抜位相における、アクセサリ側第１爪２１０の後面２１３とボディ側第１爪１１０の前面１１３との当接部分を、ボディ側マウント１００をカメラボディ１の正面から見たときの角度範囲で表すと１１度である。
【００５３】
なお、後述するように、ボディ側爪１１０〜１３０の２つの爪と、アクセサリ側爪２１０〜２３０の２つの爪とが合計２箇所で当接することで、アクセサリ側マウント２００のボディ側マウント１００への挿入が禁止される状態は他にも存在する。しかし、ボディ側爪１１０〜１３０の２つの爪と、アクセサリ側爪２１０〜２３０の２つの爪とが合計２箇所で当接することで、アクセサリ側マウント２００のボディ側マウント１００への挿入が禁止される状態で、２箇所の当接箇所のうち、当接面積が少ない方の当接箇所について、その当接面積が最も少なくなるのは、図１１に示す状態と、次に述べる、図１１に示す状態から撮影レンズ２が図示反時計方向に１１度回転した状態（不図示）の２つである。
【００５４】
図１１に示す状態から撮影レンズ２が図示反時計方向に１１度回転した状態では、アクセサリ側第１爪２１０の後面２１３とボディ側第１爪１１０の前面１１３とが当接しなくなる代わりに、アクセサリ側第１爪２１０の後面２１３がボディ側第２爪１２０の前面１２３と当接する。なお、もう１箇所の当接箇所は、アクセサリ側第３爪２３０の後面２３３がボディ側第３爪１３０の前面１３３と当接する箇所である。アクセサリ側第１爪２１０の後面２１３とボディ側第２爪１２０の前面１２３との当接部分を、ボディ側マウント１００をカメラボディ１の正面から見たときの角度範囲で表すと、図１１に示す状態と同様に１１度である。
【００５５】
すなわち、この場合も、ボディ側爪１１０〜１３０とアクセサリ側爪２１０〜２３０との当接箇所が合計で２箇所となる。この状態では、アクセサリ側第１爪２１０の後面２１３とボディ側第２爪１２０の前面１２３とが当接し、アクセサリ側第３爪２３０の後面２３３とボディ側第３爪１３０の前面１３３とが当接して当接箇所が２箇所となる場合において、当接する部分の面積が最も少なくなる。
【００５６】
すなわち、図１１に示したアクセサリ側第１爪２１０の後面２１３とボディ側第１爪１１０の前面１１３との当接部分の面積が、ボディ側爪１１０〜１３０の２つの爪と、アクセサリ側爪２１０〜２３０の２つの爪とが合計２箇所で当接することで、アクセサリ側マウント２００のボディ側マウント１００への挿入が禁止される状態では、最も面積が少ない。同様に、図１１に示す状態から撮影レンズ２が図示反時計方向に１１度回転した状態におけるアクセサリ側第１爪２１０の後面２１３とボディ側第２爪１２０の前面１２３との当接部分の面積が、ボディ側爪１１０〜１３０の２つの爪と、アクセサリ側爪２１０〜２３０の２つの爪とが合計２箇所で当接することで、アクセサリ側マウント２００のボディ側マウント１００への挿入が禁止される状態では、最も面積が少ない。図１１に示した挿抜位相、および図１１に示す状態から撮影レンズ２が図示反時計方向に１１度回転した状態における挿抜位相を特定の挿抜位相と呼ぶ。
【００５７】
上述したように、図１１に示す状態から撮影レンズ２が図示反時計方向に回転すると、アクセサリ側第１爪２１０の後面２１３がボディ側第１爪１１０の前面１１３およびボディ側第２爪１２０の前面１２３と当接し、アクセサリ側第３爪２３０の後面２３３がボディ側第３爪１３０の前面１３３と当接する。すなわち、ボディ側爪１１０〜１３０とアクセサリ側爪２１０〜２３０との当接箇所が合計で３箇所となる。
【００５８】
さらに撮影レンズ２が図示反時計方向に回転すると、上述したように図１１に示す状態から撮影レンズ２が図示反時計方向に１１度回転した時点で、アクセサリ側第１爪２１０の後面２１３とボディ側第１爪１１０の前面１１３とが当接しなくなるので、ボディ側爪１１０〜１３０とアクセサリ側爪２１０〜２３０との当接箇所が合計で２箇所となる。
【００５９】
さらに撮影レンズ２が図示反時計方向に回転すると、図１２に示す状態となる。
【００６０】
図１２から明らかに想像できるように、図１２に示す状態から撮影レンズ２が図示反時計方向に僅かに回転すると、アクセサリ側第２爪２２０の後面２２３がボディ側第３爪１３０の前面１３３と当接するようになる。すなわち、ボディ側爪１１０〜１３０とアクセサリ側爪２１０〜２３０との当接箇所が合計で３箇所となる。この状態からさらに撮影レンズ２が図示反時計方向に回転すると、アクセサリ側第３爪２３０の後面２３３がボディ側第１爪１１０の前面１１３とも当接するようになる。すなわち、ボディ側爪１１０〜１３０とアクセサリ側爪２１０〜２３０との当接箇所が合計で４箇所となる。
【００６１】
さらに撮影レンズ２が図示反時計方向に回転すると、アクセサリ側第３爪２３０の後面２３３がボディ側第３爪１３０の前面１３３と当接しなくなり、次いで、アクセサリ側第１爪２１０の後面２１３がボディ側第２爪１２０の前面１２３と当接しなくなる。すなわち、図１３に示すように、ボディ側爪１１０〜１３０とアクセサリ側爪２１０〜２３０との当接箇所が合計で２箇所となる。
【００６２】
図１３に示す状態から、さらに撮影レンズ２が図示反時計方向に回転すると、アクセサリ側第２爪２２０の後面２２３とボディ側第３爪１３０の前面１３３とが当接する部分の面積、および、アクセサリ側第３爪２３０の後面２３３とボディ側第１爪１１０の前面１１３とが当接する部分の面積が減少する。したがって、図１３に示す状態は、アクセサリ側第２爪２２０の後面２２３とボディ側第３爪１３０の前面１３３とが当接し、アクセサリ側第３爪２３０の後面２３３とボディ側第１爪１１０の前面１１３とが当接して当接箇所が２箇所となる場合において、当接する部分の面積が最も多くなる場合を示している。
【００６３】
図１４は、図１３に示す状態からさらに撮影レンズ２が図示反時計方向に回転した状態であり、アクセサリ側第２爪２２０の後面２２３とボディ側第３爪１３０の前面１３３とが当接し、アクセサリ側第３爪２３０の後面２３３とボディ側第１爪１１０の前面１１３とが当接して当接箇所が２箇所となる場合において、当接する部分の面積が最も少なくなる場合を示している。
【００６４】
図１４に示す状態から撮影レンズ２が図示反時計方向に僅かに回転すると、アクセサリ側第１爪２１０の後面２１３がボディ側第３爪１３０の前面１３３と当接するようになる。このとき、ボディ側爪１１０〜１３０とアクセサリ側爪２１０〜２３０との当接箇所が合計で３箇所となる。この状態から、さらに撮影レンズ２が図示反時計方向に回転すると、アクセサリ側第３爪２３０の後面２３３がボディ側第２爪１２０の前面１２３と当接するようになる。このとき、ボディ側爪１１０〜１３０とアクセサリ側爪２１０〜２３０との当接箇所が合計で４箇所となる。
【００６５】
この状態から、さらに撮影レンズ２が図示反時計方向に回転すると、アクセサリ側第２爪２２０の後面２２３とボディ側第３爪１３０の前面１３３とが当接しなくなる。このとき、ボディ側爪１１０〜１３０とアクセサリ側爪２１０〜２３０との当接箇所が合計で３箇所となる。この状態から、さらに撮影レンズ２が図示反時計方向に回転すると、図１５に示すように、アクセサリ側第３爪２３０の後面２３３がボディ側第１爪１１０の前面１１３と当接しなくなる。このとき、ボディ側爪１１０〜１３０とアクセサリ側爪２１０〜２３０との当接箇所が合計で２箇所となる。
【００６６】
図１５に示す状態から撮影レンズ２が図示反時計方向に僅かに回転すると、アクセサリ側第２爪２２０の後面２２３がボディ側第１爪１１０の前面１１３と当接するようになる。このとき、ボディ側爪１１０〜１３０とアクセサリ側爪２１０〜２３０との当接箇所が合計で３箇所となる。そして、さらに撮影レンズ２が図示反時計方向に回転すると、図７に示す正規の挿抜位相に戻り、ボディ側爪１１０〜１３０とアクセサリ側爪２１０〜２３０とが当接（干渉）しなくなる。
【００６７】
−−−規制部材２６２，２６３をアクセサリ側第２爪２２０の前方に設ける点について−−−
ここで、前述のように「前方」とは「被写体側」、換言すれば被写体光の入射側を示す。
本実施形態において、規制部材２６２，２６３をアクセサリ側第２爪２２０の前方に設けているが、この場合、以下のような作用が見込める。
（１）  アクセサリ側第２爪２２０は、アクセサリ側の３つの爪２１０、２２０、２３０のうちで、アクセサリ側マウント２００の円周方向に延在する長さが最も短い。これは即ち、アクセサリ側第２爪２２０の円弧長が上記３つの爪の中で最も短いということである。このため正規の挿抜位相でレンズを装着する際には、このアクセサリ側第２爪２２０の円弧長の分だけ交換レンズ２を回転操作すれば、交換レンズ２がカメラボディ１に装着されることになる。交換レンズ２をカメラボディ１から取り外し操作するときも同様に、アクセサリ側第２爪２２０の円弧長の分だけ交換レンズ２を（装着操作のときとは反対方向に）回転操作すれば、交換レンズ２をカメラボディ１から取り外すことができる。即ち、アクセサリ側第２爪２２０の前方に規制部材２６２，２６３を設けることによって、装着時および取外し時の使用者によるアクセサリの回転操作量を少なくすることができる。このため、アクセサリ（交換レンズ２）の装着・取外しの際に、使用者に要求される回転操作の負担を低減することができる。またアクセサリ（交換レンズ２）の装着・取外しに要する時間を短くすることもできる。
【００６８】
（２）  規制部材２６２，２６３を第２爪２２０の前方に設けることによって、アクセサリ（交換レンズ２）の装着時・取外し時のアクセサリ（交換レンズ２）の回転操作を規制するための他方の構成、即ち規制部材２６２，２６３と物理的に接触してそれ以上の回転を規制する側（受け手側）となるボディ側爪の端部として、使用中に比較的に傷つきにくい位置に存在する「端部（ボディ爪の端部）」を使用できる、という利点がある。
【００６９】
これについて、以下で説明する。規制部材２６２，２６３が前方に設けられているアクセサリ側第２爪２２０は、撮影レンズ２の装着時（正規の挿抜位相の場合）には、カメラボディ１の円形の開口の周縁に沿った角度範囲が最も狭いボディ側第２溝１５２を通過する。ボディ側第２溝１５２のカメラボディ１の円形の開口の周縁に沿った角度範囲は、４７．５度である。このためこの角度範囲（４７．５度）よりも大きな角度範囲を持つアクセサリ側第１爪２１０（角度範囲５８．５度）、およびアクセサリ側第３爪２３０（角度範囲７１．５度）が通過できない。したがって、正規の挿抜位相以外の位相では、ボディ側第２溝１５２にアクセサリ側第１爪２１０、およびアクセサリ側第３爪２３０が入り込む虞が少ないので、ボディ側第２溝１５２の角度範囲を規定するボディ側第１爪１１０の第１側端１１１およびボディ側第２爪１２０の第２側端１２２が傷つきにくい。
【００７０】
ところで、もし仮に、ボディ側第１爪１１０の第１側端１１１およびボディ側第２爪１２０の第２側端１２２が傷つき易かった場合には、次のような不都合が生じることになる。
【００７１】
上述したように、ボディ側第１爪１１０の第１側端１１１は、装着されている撮影レンズ２をカメラボディ１から外す場合に取り外し側規制部材２６３と当接して、撮影レンズ２が必要以上に取り外し方向への回転することを防止している。そのため、ボディ側第１爪１１０の第１側端１１１が傷ついて欠けるなどすると、撮影レンズ２が必要以上に取り外し方向へ回転してしまう。この場合、アクセサリ側第１爪２１０の第２側端２１２がボディ側第３爪１３０の後側に入り込んでしまったり、アクセサリ側第３爪２３０の第２側端２３２がボディ側第２爪１２０の後側に入り込んでしまったりして、撮影レンズ２をカメラボディ１から外せなくなってしまう。
【００７２】
上述したように、ボディ側第２爪１２０の第２側端１２２は、不図示のレンズ着脱ボタンを押圧したまま撮影レンズ２をカメラボディ１へ装着する際に装着側規制部材２６２と当接して、撮影レンズ２が必要以上に装着方向への回転することを防止している。仮に、不図示のレンズ着脱ボタンを押圧したまま撮影レンズ２をカメラボディ１へ装着して、装着側規制部材２６２がボディ側第２爪１２０の第２側端１２２と当接するまで撮影レンズ２を装着方向へ回転させると、レンズ着脱ロックピン９の位置と、アクセサリ側マウント２００のピン孔２６１の位置が僅かにずれてしまう。しかし、レンズ着脱ロックピン９の先端が丸みを帯びているため、ピン孔２６１の位置のずれが僅かであれば、ユーザがレンズ着脱ボタンを放せば、不図示のバネの付勢力によってレンズ着脱ロックピン９がピン孔２６１に入り込む際に、必要以上に装着方向へ回転したアクセサリ側マウント２００を正しい位相に戻す。または、ユーザがレンズ着脱ボタンを放し、撮影レンズ２を僅かに戻すことによってレンズ着脱ロックピン９がピン孔２６１に入り込んで、アクセサリ側マウント２００が正しい位相にセットされる。
【００７３】
ところが、ボディ側第２爪１２０の第２側端１２２が傷ついて欠けるなどすると、不図示のレンズ着脱ボタンを押圧したまま撮影レンズ２をカメラボディ１へ装着した際に、レンズ着脱ロックピン９の位置と、アクセサリ側マウント２００のピン孔２６１の位置が大きくずれてしまう。このような場合には、ユーザがレンズ着脱ボタンを放しても、レンズ着脱ロックピン９がピン孔２６１に入り込まないため、必要以上に装着方向へ回転したアクセサリ側マウント２００が正しい位相に戻らない。これにより、撮影レンズ２とカメラボディ１との間で信号等を送受信するための不図示の電気接点がずれてしまうため、撮影ができないなどの不都合が生じる。
【００７４】
しかし、本実施の形態では、上述したように、ボディ側第１爪１１０の第１側端１１１およびボディ側第２爪１２０の第２側端１２２が傷つきにくいので、上述したような不都合が生じ難く、信頼性の高いカメラシステムを提供できる。
【００７５】
−−−アクセサリ側第３爪２３０について−−−
上述したように、アクセサリ側第３爪２３０のうち、第１側端２３１の近傍では、前面２３４がボディ側第３爪１３０のバネ１３６に押圧され、過大な外力が作用した場合には、前面２３４が当接部１３５と当接する。すなわち、撮影レンズ２をカメラボディ１に装着した際に撮影レンズ２をカメラボディ１に固定しようとする力がアクセサリ側第３爪２３０のうち、主に第１側端２３１の近傍に作用する。
【００７６】
−−−ボディ側第１爪１１０について−−−
ボディ側爪１１０〜１３０とアクセサリ側爪２１０〜２３０との当接箇所が合計で２箇所となる場合であって、そのうちの１箇所がボディ側第１爪１１０に存在する場合、図１１，１３，１４に示すように、ボディ側第１爪１１０におけるアクセサリ側爪２１０〜２３０との当接箇所は、必ず、第２側端１１２側（すなわち第２側端１１２の近傍の前面１１３）ではなく、第１側端１１１側（すなわち第１側端１１１の近傍の前面１１３）に存在する。すなわち、ボディ側爪１１０〜１３０とアクセサリ側爪２１０〜２３０との当接箇所が合計で２箇所となる場合であって、そのうちの１箇所がボディ側第１爪１１０に存在する場合、誤挿入阻止の機能をボディ側第１爪１１０のうち、第１側端１１１の近傍に持たせている。
【００７７】
そして、ボディ側第１爪１１０の第２側端１１２の近傍には、当接部１１５に隣接してバネ１１６が設けられている。すなわち、ボディ側第１爪１１０の第２側端１１２の近傍は、撮影レンズ２をカメラボディ１に装着した際に、撮影レンズ２をカメラボディ１への固定する機能を有する。
【００７８】
このように、ボディ側第１爪１１０の延在方向に沿った第１側端１１１の近傍と第２側端１１２の近傍とで、その機能を分担するように構成している。
【００７９】
このように構成される本実施形態の撮影レンズ２では、次のような作用効果を奏する。
（１）  撮影レンズ２は、カメラボディ側マウント１００を備えるカメラボディ１に対して着脱可能なカメラ用アクセサリであって、且つ、所定径の円周方向に沿って互いに離間して当該円周上から径方向に突出して配設された第１〜第３の爪２１０〜２３０を有するバヨネット構造のアクセサリ側マウント２００を備える。アクセサリ側マウント２００は、カメラボディ側マウント１００に対して正規の挿抜位相で挿入された際には、第１〜第３の爪２１０〜２３０のいずれもが、カメラボディ側マウント１００に設けられている３つのカメラボディ側爪１１０〜１３０に阻害されることなく、カメラボディ側マウント１００への挿入が許可される。アクセサリ側マウント２００は、少なくとも第１の規制部２６２、および第１の規制部２６２とは異なる第２の規制部２６３を有する。第１の規制部２６２は、正規の挿抜位相で挿入されたアクセサリ側マウント２００をボディ側マウント１００に装着するために第１〜第３の爪２１０〜２３０を円周方向に沿って第１の回転方向に回転させた場合には、いずれか１つのカメラボディ側爪の側端に当接することで、第１の回転方向への回転範囲を規制する。第２の規制部２６３は、アクセサリ側マウント２００をボディ側マウント１０から取り外すために第１〜第３の爪２１０〜２３０を円周方向に沿って、第１の回転方向とは反対の第２の回転方向に回転させた場合には、いずれか１つのカメラボディ側爪の側端に当接することで、第２の回転方向への回転範囲を規制する。具体的には、撮影レンズ２の装着時と取り外し時とで、異なる規制部材がボディ側の爪と当接するように構成した。これにより、規制部材２６２，２６３の耐久性が向上する。また、規制部材２６２，２６３では、ボディ側の爪と当接する際に各規制部材２６２，２６３に作用する荷重がいわゆる片振りとなるので、規制部材２６２，２６３がアクセサリ側マウント２００の半径方向外側からそれぞれねじ込まれた頭付きのピンである場合、緩みにくくなり、規制部材２６２，２６３が緩むことによる不具合を抑制できる。
【００８０】
（２）  本実施形態では、アクセサリ側マウント２００の円周方向に延在する長さが最も短い（円弧長が最も短い）アクセサリ側第２爪２２０の前方（被写体側、換言すれば被写体光の入射側）に、規制部材２６２，２６３を設けた。この構成によれば、アクセサリの装着時および取外し時における、使用者によるアクセサリの回転操作量を少なくすることができる。このため、アクセサリの装着・取外しの際に、使用者に要求される回転操作の負担を低減することができる。またアクセサリの装着・取外しに要する時間を短くすることもできる。
【００８１】
（３）  本実施形態では、規制部材２６２，２６３を第２爪２２０の前方に設けることによって、アクセサリの装着時・取外し時の、アクセサリの回転操作を規制をするための他方の構成、即ち規制部材２６２，２６３と物理的に接触してそれ以上の回転を規制する側（受け手側）となるボディ側爪の端部として、比較的傷つきにくい位置に存在する「端部（ボディ爪の端部）」を使用するシステムにできる。これにより、回転規制を実現する構造を、比較的に耐久性のある構造にすることができ、結果としてバヨネット構造のマウントの耐久性を向上できる。
【００８２】
換言すると、ボディ側第２溝１５２のカメラボディ１の円形の開口の周縁に沿った角度範囲を他のボディ側溝１５１，１５３よりも狭くなるように構成したことで、正規の挿抜位相以外の位相では、ボディ側第２溝１５２にアクセサリ側第１爪２１０、およびアクセサリ側第３爪２３０が入り込むことがなくなり、上述したようにバヨネット構造のマウントの耐久性を向上できる。
【００８３】
（４）  アクセサリ側爪２１０〜２３０の３つの爪を同じ大きさとして、等間隔に配設し、ボディ側爪１１０〜１３０の３つの爪を同じ大きさとして、等間隔に配設してしまうと、正規の挿抜位相以外の位相でも、撮影レンズ２がカメラボディ１に対して装着可能となってしまう。そのため、アクセサリ側爪２１０〜２３０の３つの爪の大きさを変えるとともに、配設間隔を変更し、ボディ側爪１１０〜１３０の３つの爪の大きさを変えるとともに、配設間隔を変更している。また、正規の挿抜位相以外の位相で撮影レンズ２を挿入しようとした場合、ボディ側爪１１０〜１３０の少なくとも２つの爪と、アクセサリ側爪２１０〜２３０の少なくとも２つの爪とが合計２箇所以上で当接することで、アクセサリ側マウント２００のボディ側マウント１００への挿入が禁止されるように構成している。たとえば、カメラ用アクセサリのマウントの爪とカメラボディのマウントの爪同士の当接箇所が１箇所だけとなる場合では、アクセサリ側の当接しない他の２つの爪がカメラボディ側の爪同士の間に入り込んでしまうおそれがある。しかし、本実施の形態では、上述したように、正規の挿抜位相以外では、ボディ側爪１１０〜１３０とアクセサリ側爪２１０〜２３０との当接箇所が合計２箇所以上となるので、カメラ用アクセサリの誤装着を確実に防止できる。
【００８４】
（５）  規制部材２６２，２６３が、それぞれボディ側第２爪１２０の第２側端１２２およびボディ側第１爪１１０の第１側端１１１に当接して、撮影レンズ２の装着方向および取り外し方向への回転範囲を規制するように構成した。これにより、単純な構成によって撮影レンズ２の回転方向および取り外し方向への回転範囲を規制できるので、ボディ側マウント１００およびアクセサリ側マウント２００の製造コストを抑制できる。
【００８５】
（６）  撮影レンズ２の重量の影響によって、カメラボディ１に対して撮影レンズ２は前方（被写体側）が下垂しやすいが、通常の使用状態においては、バネ１１６，１２６，１３６の付勢力によって、アクセサリ側マウント基準面２０１がボディ側マウント基準面１０１に当接した状態が保たれる。しかし、たとえばカメラボディ１を三脚に固定した撮影状態で、撮影レンズ２に重力と同方向に外力が加えられ、当該外力がバネの付勢力よりも大きい状態となると、たとえばカメラボディ１が正姿勢のときには、最も上側にあるボディ側第１爪１１０のバネ１１６がさらに撓んでアクセサリ側第１爪２１０の前面２１４がボディ側第１爪１１０の当接部１１５と当接することとなる。
【００８６】
この状態を図１６に示す。なお、図１６では、説明の便宜上、各部の隙間等を誇張している。この状態では、下側においてアクセサリ側マウント基準面２０１とボディ側マウント基準面１０１とが点ＰＤで接触し、上側において上述したようにアクセサリ側第１爪２１０の前面２１４とボディ側第１爪１１０の当接部１１５とが点ＰＵで接触し、この２点で撮影レンズ２の重量と外力を支えることとなる。したがってこの２点ＰＤ，ＰＵ間の鉛直方向(重力が作用する方向)の距離ＬＳをできるかぎり長くすることによって、２点ＰＤ，ＰＵに加わる力を小さくすることができる。
【００８７】
このような状態は、意図しない外力が作用しなければ、通常の撮影状態では生じない。しかし、撮影レンズ２が一般的に筒状の形状をしていて人や物が触れやすいこと、また種々の使用状況を想定すると、ある頻度で起こることが十分考えられるため、この状況も考慮する必要がある。
【００８８】
カメラボディ１の各姿勢における、接触点ＰＤ，ＰＵおよび距離ＬＳを図１７〜図１９に示す。なお、図１７では、カメラボディ１の姿勢は正姿勢（横位置）であり、このときの距離ＬＳをＬＳ１とし、接触点ＰＤ，ＰＵをそれぞれＰＤ１，ＰＵ１とする。図１８では、カメラボディ１の姿勢はカメラボディ１の左側を上方に向けた縦位置であり、このときの距離ＬＳをＬＳ２とし、接触点ＰＤ，ＰＵをそれぞれＰＤ２，ＰＵ２とする。図１９では、カメラボディ１の姿勢はカメラボディ１の右側を上方に向けた縦位置であり、このときの距離ＬＳをＬＳ３とし、接触点ＰＤ，ＰＵをそれぞれＰＤ３，ＰＵ３とする。図１７に示す横位置における距離ＬＳ１、および、図１８に示す縦位置におけるＬＳ２は、ともにボディ側マウント１００の径と略同等である。しかし、図１９に示す縦位置における距離ＬＳ３は、距離ＬＳ１，ＬＳ２よりも短い。
【００８９】
そのため、ＰＵ３に加わる力は、撮影レンズ２に作用する外力が同じであれば、ＰＵ１およびＰＵ２よりも大きくなる。
【００９０】
そこで、本実施の形態では、ボディ側第３爪１３０の円周方向の長さを、ボディ側第１爪１１０、およびボディ側第２爪１２０よりも長くしている。これにより、ボディ側第３爪１３０の強度がボディ側第１爪１１０、およびボディ側第２爪１２０よりも高くなる。また、撮影レンズ２の装着が完了した状態で当接部１３５（すなわちＰＵ３）と接触することとなる、アクセサリ側マウント２００のアクセサリ側第３爪２３０の円周方向の長さを、アクセサリ側第１爪２１０、およびアクセサリ側第２爪２２０よりも長くしている。したがって、ボディ側第３爪１３０およびアクセサリ側第３爪２３０では十分な強度が確保されているので、カメラボディ１の姿勢が図１９に示す縦位置の状態となっても、最も負担が掛かるボディ側第３爪１３０およびアクセサリ側第３爪２３０に不具合が生じることがない。
【００９１】
このように本実施の形態によれば、正規の挿抜位相以外の位相での誤挿入を確実に禁止する効果と、正規の挿抜位相で挿入されてカメラボディ１に撮影レンズ２が装着された状態でのアクセサリ側マウント２００とボディ側マウント１００の強度を確保する効果とを併せて持たせることができる。
【００９２】
（７）  上述したように、ボディ側第１爪１１０の延在方向に沿った第１側端１１１の近傍と第２側端１１２の近傍とで、その機能を分担するように構成している。これにより、ボディ側第１爪１１０の耐久性が向上する。特に、ボディ側第１爪１１０は、頻繁に用いられるカメラボディ１の横位置において、撮影レンズ２の重量が掛かるために他のバネ１２６，１３６よりも恒常的に負担が掛かるバネ１１６や、上述したＰＵ１が作用する爪であり、最も頻繁に負担が掛かる爪である。この、最も頻繁に負担が掛かるボディ側第１爪１１０の耐久性が向上することで、ボディ側マウント１００自体の耐久性および信頼性が向上する。
【００９３】
（８）  本実施の形態では、当接部１１５がボディ側マウント１００の略真上に設けられるように構成したので、上述したＬＳ１を長くすることができる。これにより、接触点ＰＵ１に加わる力を小さくすることができるので、ボディ側第１爪１１０の耐久性が向上する。さらに、カメラボディ１に対して撮影レンズ２の前方の下垂を効果的に抑制できる。また、ボディ側第１爪１１０がボディ側マウント１００の真上にかかるように設けられているので、当接部１１５の強度を十分に確保でき、ボディ側第１爪１１０の耐久性が向上する。したがって、ボディ側マウント１００自体の耐久性および信頼性が向上する。
【００９４】
（９）  ボディ側爪１１０〜１３０の後面とアクセサリ側爪２１０〜２３０の前面とは、図１６に点線で示すように、下の部分同士が最も当たり難い。そのため、この部分で、ボディ側爪１１０〜１３０とアクセサリ側爪２１０〜２３０とを当接させる必要性が低い。そこで、本実施の形態では、たとえば図５に示すように、最も大きなボディ側第３溝１５３がボディ側マウント１００の下側に位置するようにしている。したがって、ボディ側爪１１０〜１３０を合理的に配設できる。
【００９５】
（１０）  アクセサリ側爪２１０〜２３０は、図６に図示するような配設位置に配設されているが、これは、次のような理由からである。横位置としたカメラボディ１に撮影レンズ２を装着したときに真上に位置することとなるアクセサリ側第１爪２１０は、その強度が高いことが望ましく、円周方向の延在長さが長い方がよい。しかし、上述したように、最も大きなボディ側第３溝１５３がボディ側マウント１００の下側に位置するように構成されていることなどから、正規の挿抜位相で挿入する際にボディ側第３溝１５３を通過するアクセサリ側第３爪２３０の円周方向に延在する長さを最も長くしている。そこで、アクセサリ側第１爪２１０は、２番目に円周方向に延在する長さが長くなるように構成されている。そして、上述したような制約が少ないアクセサリ側第２爪２２０は、円周方向に延在する長さが最も短くなるように構成されている。このように、アクセサリ側爪２１０〜２３０を設けることで、アクセサリ側爪２１０〜２３０を合理的に配設できる。
【００９６】
−−−変形例−−−
（１）  上述の説明では、アクセサリ側爪２１０〜２３０は、撮影レンズ２の本体に対して固定され、撮影レンズ２の着脱時には、カメラボディ１に対して撮影レンズ２自体を装着方向または取り外し方向に回転させるように構成されているが、本発明はこれに限定されない。たとえば、アクセサリ側爪２１０〜２３０が撮影レンズ２の本体に対して回転可能に構成し、正規の挿抜位相で撮影レンズ２を装着した後、アクセサリ側爪２１０〜２３０だけを装着方向に回転させることで、撮影レンズ２をカメラボディ１に装着できるように構成してもよい。
【００９７】
図２０（ａ）（ｂ）は、アクセサリ側爪２１０〜２３０が撮影レンズ２の本体に対して回転可能に構成した撮影レンズ２０の一例の外観を示す図である。撮影レンズ２０は、鏡筒２１と、鏡筒２１に対して回転可能に設けられ、アクセサリ側爪２１０〜２３０を有するバヨネット筒２２と、バヨネット筒２２を鏡筒２１に対して回転させるための操作リング２３とを備えている。なお、図２０（ａ）（ｂ）および、以下に説明する各図において、上述した説明と同様の部材には同じ符号を付し、詳細な説明を省略する。
【００９８】
図２１は、鏡筒２１の外観を示す図であり、図２２（ａ）〜（ｄ）は、撮影レンズ２０の構造を模式的に示す図である。図２１に示すように、鏡筒２１の後部には、操作リング２３が嵌合する嵌合溝２１ａが設けられている。嵌合溝２１ａの底部には、操作リング２３とバヨネット筒２２とを接続するピン２４が移動可能となるように長孔２１ｂが設けられている。そして、図２２（ａ），（ｄ）の断面図に示すように、操作リング２３が鏡筒２１の嵌合溝２１ａに嵌合しており、操作リング２３とバヨネット筒２２とがピン２４で連結されている。符号２５はレンズを示している。このように構成される撮影レンズ２０では、鏡筒２１に対して操作リング２３を回転させると、鏡筒２１に対して、バヨネット筒２２、すなわちアクセサリ側爪２１０〜２３０が操作リング２３とともに回転する。このように構成される撮影レンズ２０を用いることで、正規の挿抜位相で撮影レンズ２０を装着した後、操作リング２３を操作してバヨネット筒２２だけを装着方向に回転させることで、鏡筒２１を回転させなくても撮影レンズ２０をカメラボディ１に装着できる。なお、図２２（ｄ）は、図２２（ａ）のＣ−Ｃ矢視断面図である。
【００９９】
（２）  上述の説明では、規制部材２６２，２６３をアクセサリ側第２爪２２０の前方に設けているが、本発明はこれに限定されない。たとえば、不図示のレンズ着脱ボタンを押圧したまま撮影レンズ２をカメラボディ１へ装着しようとした際にボディ側の３つの爪１１０，１２０，１３０のいずれかの第２側端１１２，１２２，１３２と当接して、撮影レンズ２の装着方向への回転を規制することができればよいので、装着側規制部材２６２が、アクセサリ側第２爪２２０の前方以外の位置に設けられていてもよい。具体的には、たとえば、図２３における符号２６２ａまたは符号２６２ｃを付した破線で示す位置（すなわち、アクセサリ側第１爪２１０の前方の位置２６２ａや、アクセサリ側第３爪２３０の前方の位置２６２ｃ）に装着側規制部材２６２を設けてもよい。なお、図２３における符号２６２ｂを付した破線で示す位置は、上述した実施の形態のように、アクセサリ側第２爪２２０の前方に設けられた装着側規制部材２６２の配設位置である。
【０１００】
同様に、たとえば、カメラボディ１から取り外すために撮影レンズ２を取り外し方向に回転させた際にボディ側の３つの爪１１０，１２０，１３０のいずれかの第１側端１１１，１２１，１３１と当接して、撮影レンズ２の取り外し方向への回転を規制することができればよいので、取り外し側規制部材２６３が、アクセサリ側第２爪２２０の前方以外の位置に設けられていてもよい。具体的には、たとえば、図２４における符号２６３ａまたは符号２６３ｃを付した破線で示す位置（すなわち、アクセサリ側第１爪２１０の前方の位置２６３ａや、アクセサリ側第２爪２２０とアクセサリ側第３爪２３０との間のアクセサリ側の位置２６３ｃ）に取り外し側規制部材２６３を設けてもよい。なお、図２４における符号２６３ｂを付した破線で示す位置は、上述した実施の形態のように、アクセサリ側第２爪２２０の前方に設けられた取り外し側規制部材２６３の配設位置である。
【０１０１】
したがって、装着側規制部材２６２は、図２３，２４に示す符号２６２ａ〜２６２ｃを付した破線の位置のうち少なくともいずれか１箇所に設けられていればよい。また、取り外し側規制部材２６３は、図２３，２４に示す符号２６３ａ〜２６３ｃを付した破線の位置のうち少なくともいずれか１箇所に設けられていればよい。なお、上述の説明のように規制部材２６２，２６３をアクセサリ側第２爪２２０の前方に設けた場合、規制部材２６２，２６３同士が接近して配設される。ここで、規制部材２６２，２６３をアクセサリ側マウント２００に設けたねじ穴にねじ込んで取り付ける場合には、規制部材２６２，２６３を取り付けるためのねじ穴同士も接近する。そのため、当該ねじ穴の加工上の難易度が上がるおそれや、強度面での低下のおそれ、規制部材２６２，２６３の取り付け作業が行い難くなる等のおそれがある。仮に、このようなおそれがある場合には、装着側規制部材２６２の配設位置を適宜図２３，２４に示す符号２６２ａ〜２６２ｃを付した破線の位置のいずれかとし、取り外し側規制部材２６３の配設位置を適宜図２３，２４に示す符号２６３ａ〜２６３ｃを付した破線の位置のいずれかとすることで、規制部材２６２，２６３同士が接近しないように配設すればよい。
【０１０２】
（３）  上述の説明では、カメラ用アクセサリの一例として、撮影レンズ２，２０について説明したが、本発明はこれに限定されず、たとえば、焦点距離を変更するコンバータレンズや、撮影レンズのマウント面から撮像面までの距離を変更するアダプタなど、ボディ側マウント１００と結合可能なアクセサリ側マウント２００を有する各種のカメラ用アクセサリであってもよい。
【０１０３】
（４）  上述の説明では、規制部材２６２，２６３がアクセサリ側マウント２００に取り付けられた頭付きのピンであるが、他の部材を取り付けるのではなく、たとえば、第２側端２２２の近傍を規制部材２６２，２６３のような形状に形成するようにしてもよい。すなわち、たとえば、アクセサリ側マウント２００を樹脂の射出成形品とした場合には、第２側端２２２の近傍を規制部材２６２，２６３のような形状となるように射出成形してもよい。または、規制部材２６２の装着側端面に相当する部位、および規制部材２６３の取り外し側端面を有する１つの部材をアクセサリ側マウント２００に設けてもよい。この場合、当該部材をアクセサリ側第２爪２２０の前面側にアクセサリ側第２爪２２０と一体的に形成することでアクセサリ側第２爪２２０の強度を向上させるようにしてもよい。
【０１０４】
（５）  上述の説明における、ボディ側マウント１００が撮影レンズ２に設けられ、アクセサリ側マウント２００がカメラボディ１に設けられていてもよい。
（６）上記の各実施形態では、カメラボディ１と交換レンズ２から構成されるカメラシステムについて説明した。しかしながら本発明はカメラシステムに限られるものではない。交換レンズ２を着脱可能なマウントを備えた機器であれば、カメラに限らず適用可能である。このような機器として、例えばプロジェクターなどの電子機器が考えられる。プロジェクターの投影レンズ部分を、着脱可能な交換式の投影レンズとして構成することで、上記実施形態と同様なシステムを得ることができる。
（７）  上述した各実施の形態および変形例は、それぞれ組み合わせてもよい。
【０１０５】
なお、本発明は、上述した実施の形態のものに何ら限定されず、カメラボディ側マウントを備えるカメラボディに対して着脱可能なアクセサリであって、且つ、所定径の円周方向に沿って互いに離間して当該円周上から径方向に突出して配設された第１〜第３の爪を有するバヨネット構造のアクセサリ側マウントを備えるカメラ用アクセサリにおいて、アクセサリ側マウントは、カメラボディ側マウントに対して正規の挿抜位相で挿入された際には、第１〜第３の爪のいずれもが、カメラボディ側マウントに設けられている３つのカメラボディ側爪に阻害されることなく、カメラボディ側マウントへの挿入が許可され、アクセサリ側マウントは、少なくとも第１の規制部、および第１の規制部とは異なる第２の規制部を有し、第１の規制部は、正規の挿抜位相で挿入されたアクセサリ側マウントをボディ側マウントに装着するために第１〜第３の爪を円周方向に沿って第１の回転方向に回転させた場合には、いずれか１つのカメラボディ側爪の側端に当接することで、第１の回転方向への回転範囲を規制し、第２の規制部は、アクセサリ側マウントをボディ側マウントから取り外すために第１〜第３の爪を円周方向に沿って、第１の回転方向とは反対の第２の回転方向に回転させた場合には、いずれか１つのカメラボディ側爪の側端に当接することで、第２の回転方向への回転範囲を規制する、ことを特徴とする各種構造のカメラ用アクセサリを含むものである。
【０１０６】
本出願は、日本国特許出願２０１１−１９８４２０号（２０１１年９月１２日出願）および日本国特許出願２０１１−２２３１３８号（２０１１年１０月７日出願）を基礎として、その内容は引用文としてここに組み込まれる。
【図１】
2013038973.tif 000003
【図２】
2013038973.tif 000004
【図３】
2013038973.tif 000005
【図４】
2013038973.tif 000006
【図５】
2013038973.tif 000007
【図６】
2013038973.tif 000008
【図７】
2013038973.tif 000009
【図８】
2013038973.tif 000010
【図９】
2013038973.tif 000011
【図１０】
2013038973.tif 000012
【図１１】
2013038973.tif 000013
【図１２】
2013038973.tif 000014
【図１３】
2013038973.tif 000015
【図１４】
2013038973.tif 000016
【図１５】
2013038973.tif 000017
【図１６】
2013038973.tif 000018
【図１７】
2013038973.tif 000019
【図１８】
2013038973.tif 000020
【図１９】
2013038973.tif 000021
【図２０】
2013038973.tif 000022
【図２１】
2013038973.tif 000023
【図２２】
2013038973.tif 000024
【図２３】
2013038973.tif 000025
【図２４】
2013038973.tif 000026
【国際調査報告】
2013038973.tif 000027
2013038973.tif 000028
2013038973.tif 000029
2013038973.tif 000030